(57)【要約】【課題】パネル体の取り付け及び取り外しが容易で且つ安定的にパネル体を保持できる内装パネル装置を提供する。【解決手段】壁の取付面９に上下に間隔を空けて配置され固着される上枠材２及び下枠材３と、該上下枠材間に着脱自在に取り付けられる矩形のパネル体４とを備えた内装パネル装置１であって、前記上枠材及び前記下枠材は、前記パネル体の上縁部４０及び下縁部４１の幅寸法と略同じ幅寸法を有しており、前記上枠材は、前記取付面に固着される固定部１１と、該固定部に対して上下にスライド自在に取り付けられ下方向への押圧力を付勢して前記パネル体の前記上縁部を拘束する可動係止部１２とを有し、前記下枠材は、前記パネル体の下縁部を下方から受けて拘束することを特徴とする。【選択図】図１
2011026886.tif 000002
【特許請求の範囲】
【請求項１】
壁の取付面に上下に間隔を空けて配置され固着される上枠材及び下枠材と、該上下枠材間に着脱自在に取り付けられる矩形のパネル体とを備えた内装パネル装置であって、
前記上枠材及び前記下枠材は、前記パネル体の上縁部及び下縁部の幅寸法と略同じ幅寸法を有しており、
前記上枠材は、前記取付面に固着される固定部と、該固定部に対して上下にスライド自在に取り付けられ下方向への押圧力を付勢して前記パネル体の前記上縁部を捕捉し拘束する可動係止部とを有し、
前記下枠材は、前記パネル体の下縁部を下方から受けて拘束することを特徴とする内装パネル装置。
【請求項２】
請求項１において、
前記パネル体には、電気機器が内蔵されており、
前記パネル体の下端部には、前記電気機器が接続された受電用コネクタが設けられており、前記下枠材には、前記受電用コネクタと接続される供電用コネクタが設けていることを特徴とする内装パネル装置。
【発明の詳細な説明】
【技術分野】
【０００１】
本発明は、屋内の壁に取り付けて用いられる内装パネル装置に関する。
【背景技術】
【０００２】
一般に、内装パネルは壁の構造体として間柱や壁下地にビス止めされるため、取り外しを行うことを前提にしておらず、取り外しが容易にできる構成にはなっていない。一方、既設の壁に後付けされるような内装パネルの場合は、模様替えなどで内装パネルを取り外すことがあり、スピーカなど電気機器を内蔵したパネル体においては、メンテナンスなどで取り外しがなされることもある。
よってパネル体の取り外しが容易にできる内装パネル装置が求められる。
【０００３】
ところで、下記特許文献１には、矩形の鏡の上端部を固定支持する鏡用止め具と、下端部を固定支持する下部受け具が開示されている。ここに開示されている鏡止め具は、固定部材、可動部材及びばねを組み合わせて構成されており、この鏡止め具は、可動部材を手で上方向に持ち上げると可動部材が持ち上がり、可動部材から手を離すとばねの弾発力が作用して可動部材が元の位置に戻るよう構成されている。
【先行技術文献】
【特許文献】
【０００４】
【特許文献１】特開平７−２４１２３１号公報
【発明の概要】
【発明が解決しようとする課題】
【０００５】
しかしながら、上記特許文献１のものは内装パネルではなく鏡の設置方法に関するものであり、また鏡の上縁部の２ヶ所と下縁部の２ヶ所を固定支持するよう構成されているので、取り付け或いは取り外しを行う際に、上縁部の２ヶ所の鏡止め具を片側ずつ順に可動部材を手でつまんで引き上げる必要がある。
よって、上記特許文献１の止め具で内装パネルのような大きいサイズのものを止めようとした場合は、内装パネルを持つことで両手がふさがってしまうので、２ヶ所の止め具を片側ずつ順につまんで引き上げる作業が困難になる。
また上記特許文献１のものは、鏡の上縁部及び下縁部を部分的に保持するものであるから、内装パネルのように大きいサイズのものになればなるほど、止め具による保持力が不足してしまう。
【０００６】
本発明は、上記実情に鑑みなされたものであり、パネル体の取り付け及び取り外しが容易で且つ安定的にパネル体を保持できる内装パネル装置を提供することを目的とする。
【課題を解決するための手段】
【０００７】
前記目的を達成するために、本発明に係る内装パネル装置は、壁の取付面に上下に間隔を空けて配置され固着される上枠材及び下枠材と、該上下枠材間に着脱自在に取り付けられる矩形のパネル体とを備えた内装パネル装置であって、前記上枠材及び前記下枠材は、前記パネル体の上縁部及び下縁部の幅寸法と略同じ幅寸法を有しており、前記上枠材は、前記取付面に固着される固定部と、該固定部に対して上下にスライド自在に取り付けられ下方向への押圧力を付勢して前記パネル体の前記上縁部を捕捉し拘束する可動係止部とを有し、前記下枠材は、前記パネル体の下縁部を下方から受けて拘束することを特徴とする。
これによれば、上枠材及び下枠材が、パネル体の上縁部及び下縁部の幅寸法と略同じ幅寸法を有し、上枠材及び下枠材がパネルの上縁部及び下縁部のそれぞれと全幅に亘って強固に保持するので、例えばパネル体が内装パネルとして用いる比較的大きなパネル体であった場合でも強固に壁への固定ができる。
また上枠材の可動係止部を上方向に移動させれば、パネル体の上縁部及び下縁部を上枠材及び下枠材から着脱しやすい状態となるので、パネル体の取り付け及び取り外しが容易にできる。
【０００８】
本発明において、パネル体が電気機器を内蔵している場合は、パネル体の下端部に、前記電気機器が接続された受電用コネクタを設け、前記下枠材に、前記受電用コネクタと接続される供電用コネクタを設けるようにしてもよい。
これによれば、下枠材とパネル体とを電気的に容易に接続することができる。また、例えば下枠材を充電器として使用することができる。
【発明の効果】
【０００９】
本発明に係る内装パネル装置によれば、パネル体の取り付け及び取り外しが容易にできる。また本発明に係る内装パネル装置によれば、パネル体の大きさ（サイズ）に関わらず、安定的にパネル体を保持することができる。
【図面の簡単な説明】
【００１０】
【図１】本発明に係る内装パネル装置の一実施形態を示す断面図であって、パネル体の取付状態を示す図である。
【図２】同内装パネル装置の断面図であって、パネル体の着脱過程の状態を示す図である。
【図３】同内装パネル装置の全体斜視図である。
【図４】同内装パネル装置の上枠材の分解斜視図である。
【図５】同内装パネル装置の下枠材の斜視図である。
【図６】同内装パネル装置の変形例を示す図であり、下枠材とパネル体の斜視図である。
【発明を実施するための形態】
【００１１】
以下に本発明の実施の形態について、図面に基づいて説明する。
まずは本発明の実施形態の一例について図１〜図５を参照しながら説明する。
図１は上下枠材２、３間にパネル体４が取り付けられている状態を示しており、図２は上下枠材２、３間にパネル体４が取り付けられる状態或いは上下枠材２、３間からパネル体４が取り外される状態を示している。
図に示すように内装パネル装置１は、壁の取付面９に上下に間隔を空けて配置して固着される上枠材２及び下枠材３と、該上下枠材２、３間に着脱自在に取り付けられる矩形のパネル体４とを備えている。
上枠材２及び下枠材３は、金属材や樹脂材などからなる薄肉形成された成型品であり、図３に示すようにパネル体４の上縁部４０及び下縁部４１の幅寸法と略同じ幅寸法に形成されており、パネル体４の上縁部４０及び下縁部４１を全幅に亘って上下方向から挟み込むように強固に保持している。
【００１２】
上枠材２は、取付面９に固着される固定部１１と、上下にスライド自在に取り付けられ下方向への押圧力を付勢してパネル体４の上縁部４０を捕捉し拘束する可動係止部１２とを有している。
固定部１１は、取付面９にねじ６で固着される固定片１６と、固定片１６から略水平に前方向に突出するように延出形成されたリブ片１７と、リブ片１７から略垂直に起立するように延出形成された支持片１８とを備えている。固定部１１のリブ片１７が前方向に突出して形成されていることにより、支持片１８と取付面９との間に空間が形成され、この空間に可動係止部１２及び支持片１８に固着される連結部１３が設けられる。
【００１３】
可動係止部１２は、取付面９に対して平行に配され固定部１１に対して上下にスライド自在とするための縦長のスライド孔１４ａが形成された規制片１４と、パネル体４の上縁部４０を捕捉し拘束するように庇状に形成されたパネル押さえ部１５とを備えている。
規制片１４の下方には、パネル体４の上縁部４０を拘束した際に下方向への押圧力を付勢する付勢手段が設けられている。
ここでは付勢手段としてバネ５を用いた例を示しており、バネ５の上下端部５０、５１はフック状になっており、バネ５の上下端部５０、５１は規制片１４及びリブ片１７に形成された係止孔１４ａ、１７ａに係止される。
そしてこの付勢手段としてのバネ５は、上方向への押圧力がかかるとバネ５が上方向に伸び、上方向への押圧が解除されると可動係止部１２の自重と上方向に伸びていたバネ５の復元作用で下方向への押圧力を付勢するよう機能する。
【００１４】
固定部１１の固定片１６には、ねじ６が挿通されるねじ孔１６ａが形成されており、取付面９に対して固定片１６の面全体が接した状態でねじ６で固着され、支持片１８には、連結部１３と連結するためのねじ２２が挿通されるねじ孔１８ａが形成されている。
固定部１１を取付面９に固着した際には、固定片１６及び支持片１８は取付面９に対して略平行に配置されることになり、パネル体４も取付面９に対して略平行に精度よく取り付けることができる。
可動係止部１２のスライド孔１４ａには、連結部１３の突起部２０が挿通され、該突起部２０が挿通された状態で上下動するように形成され、パネル押さえ部１５は、規制片１４の上端部から前方に水平に突出した後、下向きに略直角に屈曲形成されており、上枠材２に取り付けられたパネル体４の上縁部４０が前方に倒れこまないよう捕捉し拘束できる構成となっている。
【００１５】
固定部１１に固着される連結部１３は、横長の板状体からなる本体片１９と、筒状の突起部２０とを備えている。連結部１３は可動係止部１２の上下動を許容するとともに、その動作範囲を規制するように（左右に動いたりしないように）スライド孔１４ａに挿通された状態で固定部１１に連結される。
連結部１３の突起部２０は、本体片１９に形成された挿通孔１９ａに挿通されためねじのボス部分であり、本体片１９にねじ止めされている。突起部２０（めねじのボス部分）の長さは、可動係止部１２及び固定部１１と組み合わせたときに、スペーサ材１０（図４参照）によって所定の間隔を保ちながらスライド孔１４ａを貫通し、固定部１１の支持片１８のねじ孔１８ａに至るように形成されている。突起部２０の先側２０ａは円筒状に刳り貫かれており、この円筒部分の内面側にはねじ溝が形成されている。これにより、支持片１８のねじ孔１８ａに挿通されるねじ２２が突起部２０の先側２０ａに螺入され、連結部１３と固定部１１とが螺着されて、連結部１３と固定部１１とを連結することができる。
なお、ここでは突起部２０としてめねじを用いた例を説明したが、これに限定されるものではなく、本体片１９と一体に形成されるものであってもよい。また突起部２０は本体片１９にかしめ固定されるものであってもよい。
【００１６】
図４に示すように上枠材２を構成する固定部１１、可動係止部１２、連結部１３のそれぞれの間にはスペーサ材１０が介在する。
スペーサ材１０は樹脂材などからなり、突起部２０に挿嵌されるよう孔部１０ａを備えた円環状とされ、その径寸法は、可動係止部１２のスライド孔１４ａ内に落ち込まないようにスライド孔１４ａの幅方向の大きさより大きく形成される。
スペーサ材１０の厚みは、適宜設定され、これにより固定部１１と可動係止部１２との間、及び可動係止部１２と連結部１３との間の間隔が決まる。
このように可動係止部１２と連結部１３との間、及び固定部１１と可動係止部１２との間にスペーサ材１０を介在させることにより、それぞれの間隔を一定に確保するとともに、間隔を一定に保ったまま、可動係止部１２を上下方向に可動自在とすることができ、上下方向に可動する際の摺動性の向上も図ることができるので、動きがスムーズになる。
【００１７】
下枠材３はパネル体４の下縁部４１を下方から受けて拘束するよう形成されており、図５に示すように下枠材３は、取付面９にねじ７で固着される垂直な固定片３０と、パネル体４の下縁部４１を下方から係止するように形成された水平なパネル受け部３１とを備えている。
固定片３０は、取付面９に固定片３０の面全体が接するように配置され、ねじ７が挿通されるねじ孔３４が形成されている。
パネル受け部３１は、固定片３０の下端部から前方に水平に突出した後、上向きに略直角に屈曲形成されている。
パネル受け部３１には、パネル体４の裏面と固定片３０との間にできる隙間を埋めるクッション部材８が貼着されており、このクッション部材８の前方に溝部３２が形成され、この溝部３２にパネル体４の下縁部４１を嵌め入れることにより、パネル体４のがたつきを抑制することができる。
【００１８】
次に上下枠材２、３へのパネル体４の着脱要領を説明する。
内装パネル装置１の上下枠材２、３にパネル体４を取り付ける際には、パネル体４の左右端部を持って、まず図２に示すように、パネル体４を斜めにして上縁部４０をパネル押さえ部１５に嵌め入れ、その状態で可動係止部１２を上方向に押し上げる（図２の太字矢印方向参照）。上方向への力が作用するとバネ５が伸びて可動係止部１２が上方向に移動し、上枠材２と下枠材３の間の空間が広くなり、下枠材３の溝部３２にパネル体４の下縁部４１を嵌め入れやすい状態となる。上枠材２のパネル押さえ部１５にパネル体４の上縁部４０を嵌め入れた状態で、パネル体４の下縁部４１を下枠材３に向けていき、パネル体４を起立させた状態でパネル体４の下縁部４１を溝部３２に嵌め入れる。
パネル体４の上下縁部４０、４１が上下枠材２、３によって保持され、可動係止部１２の上方向への押圧が解除されると、可動係止部１２の自重と上方向に伸びていたバネ５の復元作用によって、可動係止部１２はパネル体４の上端部４０を係止する位置に保持される（図１参照）。このとき、パネル体４が保持されている状態（取付状態）においても、バネ５が若干伸びている状態を維持できれば、バネ５の力が下向きに作用するので、パネル体４が上下枠材２、３で挟み込まれた状態となり、パネル体４を強固に保持することができる。
【００１９】
上下枠材２、３からパネル体４を取り外す際には、上下枠材２、３によって保持された（図１の状態）のパネル体４の左右端部を持ち、上方向に力をかけパネル体４の上縁部４０で可動係止部１２を押し上げる。すると、可動係止部１２に上方向の力が作用するとバネ５が伸びて可動係止部１２が上方向に移動し、上枠材２と下枠材３の間の空間が広くなり、下枠材３の溝部３２に嵌め入れられたパネル体４の下縁部４１が取り外しやすい状態となる。
パネル体４の上縁部４０で可動係止部１２を押し上げながら（図２の状態）、パネル体４の下縁部４１を溝部３２から取り外し、その後、パネル体４の上縁部４０をパネル押さえ部１５から外せば上下枠材２、３からパネル体４を取り外すことができる。
【００２０】
以上によれば、パネル体４の左右端部を持ってパネル体４の上縁部４０で可動係止部１２を押し上げれば、上下枠材２、３間の間隔を広げることができ、パネル体４の取り付け及び取り外しが容易にできる。
よってパネル体４のサイズ、重さに関わらず、パネル体４の左右端を持つことで両手が塞がった状態でも上下枠材２、３間への着脱が容易にできる。
なお、パネル体４の着脱要領は、上述の例に限定されるものではなく、例えば可動係止部１２は手で引き上げてもよく、上述のようにパネル体４の上縁部４０で押し上げる方法に限定されるものではない。また可動係止部１２の保持状態の位置も図１に限定されるものではない。
【００２１】
図６は上述の実施形態の変形例を示す図であり、下枠材３とパネル体４の一部を示す斜視図である。上述の例と共通する部分には共通の符号を付し、共通する部分の説明を省略する。
本例は上述の例と異なり、パネル体４に電気機器が内蔵されている。また、パネル体４の下端部には受電用コネクタ４２が設けられており、さらに下枠材３には、受電用コネクタ４２と接続される供電側コネクタ３３が設けられている。
なお、ここでは下枠材３に供電側コネクタ３３が設けられているので、上述のクッション材８をこの図では示していないが、供電側コネクタ３３が設けられていない場所に、クッション材８を配してもよい。
【００２２】
図６に示すパネル体４はスピーカ機能を有するものであって、パネル体４の内部にはスピーカとして機能する電気機器として加振器４３が内蔵されており、該加振器４３がパネル体４の表面材に振動を付与して音を発生させる。
またパネル体４内にはバッテリー（不図示）が搭載されており、パネル体４を取り外したときには該バッテリーが駆動し、パネル体４がコードレスで使えるよう構成されている。
下枠材３には、電力を供給するための配線３５が設けられ、コンセント（不図示）に接続することができるので、先行配線を行い、壁内に配線３５を這わせるようにしてもよい。
パネル体４を取り付ける際において、下枠材３の溝部３２にパネル体４の下縁部４１を嵌め入れるとともに、パネル体４の受電用コネクタ４２と下枠材３の供電用コネクタ３３とを接合する以外は、上述の例と同様の要領でパネル体４の着脱を行うことができる。
【００２３】
これによれば、パネル体４と下枠材３とが電気的接続され、パネル体４に電力を供給することができ、下枠材３を充電器として使用することができる。またパネル体４の着脱が容易なので、メンテナンスがしやすくなり、さらには充電完了後、取り外せば好きな場所に持っていって音楽を楽しむことができる。
なお、ここでは電気機器が内蔵されているパネル体４の例としてスピーカ機能を備えた内装パネルに適用した例について説明したが、これに限定されるものではない。
【００２４】
以上の説明では、矩形のパネル体４の例として縦長方形の例を図示して説明したが、横長方形のパネル体４にも適用可能であり、上枠材２、下枠材３の構成及び形状も図示した例に限定されるものではない。
【符号の説明】
【００２５】
１      内装パネル装置
２      上枠材
１１      固定部
１２    可動係止部
３      下枠材
４      パネル体
４０      上縁部
４１      下縁部
９      取付面
【図１】
2011026886.tif 000003
【図２】
2011026886.tif 000004
【図３】
2011026886.tif 000005
【図４】
2011026886.tif 000006
【図５】
2011026886.tif 000007
【図６】
2011026886.tif 000008